(57)【要約】      （修正有）【課題】分解・再組み立てが容易であり、粘着テープを用いず段ボールの表面紙が剥離しまたは破けていくことがなく、ベッド面の全面に渡り体重を分散して受け止めることができ、一部分における凹みが容易には生じ難い段ボール製組み立てベッドを提供する。【解決手段】段ボール製組み立てベッド１は、ベッド本体１０が、上面部の４つの側面部を折り下げてなるベッド本体半部１１Ａ、１１Ｂを有し、ベッド本体半部１１Ａ、１１Ｂの突き合わせ部の外側にアングル形補強部材２１Ａ、２２Ａに重ねられ、面状ファスナ５０−５７で連結されてなり、ベッド本体１０の下側空間に収容され上面部を下支えする段ボール製の受承フレーム半体３１Ａ、３２Ａとを備え、受承フレーム半体３１Ａ、３２Ａは、上半身側と下半身側の各ベッド本体半部１１Ａ、１１Ｂに対応して２つに分割され、縦方向の長方形板材のスリットと横方向の長方形板材のスリットとが嵌合し格子状に組まれてなる。【選択図】図１
0003228797.tif 000002
【実用新案登録請求の範囲】
【請求項１】
ベッド面と前記ベッド面の四方に折り下がった側面部が延在する段ボール製のベッド本体と、
前記ベッド本体のベッド面および幅方向の２つの側面部の３面の外側に重なる段ボール製のアングル形補強部材と、
前記ベッド本体の下側空間に収容され前記ベッド面を下支えする段ボール製の受承フレームとを備え、
前記ベッド本体は、上半身側と下半身側の２つのベッド本体半部とに分割され、コーナー部の端縁同士を面状ファスナで連結され、および分割位置の端縁同士を突き合わせ面状ファスナで連結されてなり、
前記アングル形の補強部材は、半部が上半身側の前記ベッド本体半部のベッド面および幅方向の２つの側面部に重なり、残りの半部が下半身側の前記ベッド本体半部のベッド面および幅方向の２つの側面部に重なり、かつ、密着面に対向して設ける面状ファスナにより連結されてなり、
前記受承フレームは、上半身側と下半身側の各前記ベッド本体半部に対応して２つの受承フレーム半体に分割されてなり、
各前記受承フレーム半体は、複数の長方形板材のそれぞれに、一方の長辺より直角方向に複数のスリットを所要間隔に有し、平面視において前記長方形板材がベッドの縦方向と横方向にそれぞれ複数配列され、かつ縦方向の長方形板材のスリットと横方向の長方形板材のスリットとが組手構造に嵌合することで格子状に組まれてなる
ことを特徴とする段ボール製組み立てベッド。
【請求項２】
上半身側と下半身側の各前記ベッド本体半部は、ベッド面部と前記ベッド面部の３つの端縁より延在している縦方向の側面部および２つの横方向の側面部とを有する原材である段ボール成形材よりなり、前記ベッド面部に対し１つの前記縦方向の側面部および２つの前記横方向の側面部をそれぞれ直角に折り下げ、コーナー部の端縁同士を面状ファスナで連結されてなる
ことを特徴とする請求項１に記載の段ボール製組み立てベッド。
【請求項３】
前記２つの受承フレーム半体間に、段ボール製の方形板を２つ折りしてなり、２つ折りの稜線部をベッド設置面に当接し反対側の２つの端縁を、かつ前記上半身側のベッド本体半部のベッド面部の下面および前記下半身側のベッド本体半部のベッド面部の下面に当接している補強部材を備える
ことを特徴とする請求項２に記載の段ボール製組み立てベッド。
【請求項４】
上半身側と下半身側の各前記ベッド本体半部は、上面部と、前記上面部の一方の対向する２つの端縁より延在している縦方向の２つの側面部および他方の対向する２つの端縁より延在している横方向の２つの側面部とを有する原材である段ボール成形材よりなり、前記ベッド面部に対し２つの前記縦方向の側面部および２つの前記横方向の側面部をそれぞれ直角に折り下げ、コーナー部の端縁同士を面状ファスナで連結されてなる
ことを特徴とする請求項１に記載の段ボール製組み立てベッド。
【考案の詳細な説明】
【技術分野】
【０００１】
本考案は、段ボール製組み立てベッドに関する。
【背景技術】
【０００２】
段ボール製組み立てベッドは、木製のものに比べて軽く頗る安価であり、軽いので移動してベッドの下側を掃除することが容易であり、耐久期間が過ぎると分解してごみとして出すことが可能である。
【先行技術文献】
【特許文献】
【０００３】
【特許文献１】特開２０１９−１２２６４４号公報
【特許文献２】実用新案登録第３２１５７８１号公報
【考案の概要】
【考案が解決しようとする課題】
【０００４】
段ボール製組み立てベッドは、釘やねじを用いた組み立てができないという問題点がある。また、段ボール製組み立てベッドに要求されることとしては、ベッド面の全面に渡り体重を分散して受け止めることができ、特に、一部分における凹みが容易には生じないこと、部屋から部屋への移動を行う際に分解・再組み立てが容易であり、分解時にベッド構成部材同士の連結部の嵌合部が変形したり壊れることがないことや、粘着テープによって段ボールの表面紙が剥離し破けていくことがないこと、ベッドの下側にペットが進入できないことが望まれる。
【０００５】
特許文献１に記載された段ボール製組み立てベッドは、ヘッド側とフット側の板状脚と、第１，第２の中間板状脚と、長尺桁のいずれもが連結構造としての嵌め込み部の強度が高く得られるよう段ボールを４枚重ねとして厚く構成しており、材料費が高くつき、分解・再組み立てに時間がかかる。そして、ベッド面の上半身側に縦方向に長尺な長尺桁がベッドの横方向に複数配列されているとともに、ベッド面の下半身側に縦方向に長尺な長尺桁がベッド面の横方向に複数配列されており、天板は１枚のダンボールでできており、ベッドの中央部では長尺桁の数が倍になるので体重を分散して受け止めることができているが、ベッド面の上半身側と下半身側では長尺桁の桁間隔が大きくなるので体重を分散して受け止めることが十分であるとは言えない。また、ベッド面の上半身側と下半身側の長尺桁の桁間隔が大きくなる位置では体重がかかると凹みが容易に生じてしまう恐れがある。さらに、部屋から部屋に移動する場合、骨組部分を分解・再組み立てする必要があり、手間がかかる。また、ベッドの下側に埃やごみが入り易い。
【０００６】
特許文献２に記載された段ボール製組み立てベッドは、脚部と、レール部と、床部のいずれも材料を多く必要としコスト高となり、嵌め込み構造が複雑であるので組み立てが難しく時間がかかり、分解・再組み立てに不向きな構成である。また部材を多く必要とし、高コストになる。
【０００７】
本考案は、このような課題を解決するためになされたもので、分解・再組み立てが容易であり、粘着テープを用いず段ボールの表面紙が剥離しまたは破けていくことがなく、ベッド面の全面に渡り体重を分散して受け止めることができ、一部分における凹みが容易には生じ難い段ボール製組み立てベッドを提供することを目的とする。
【課題を解決するための手段】
【０００８】
本考案の第１の態様に係る段ボール製組み立てベッドは、上記目的を達成するため、ベッド面と前記ベッド面の四方に折り下がった側面部が延在する段ボール製のベッド本体と、前記ベッド本体のベッド面および幅方向の２つの側面部の３面の外側に重なる段ボール製のアングル形補強部材と、前記ベッド本体の下側空間に収容され前記ベッド面を下支えする段ボール製の受承フレームとを備え、前記ベッド本体は、上半身側と下半身側の２つのベッド本体半部とに分割され、コーナー部の端縁同士を面状ファスナで連結され、および分割位置の端縁同士を突き合わせ面状ファスナで連結されてなり、前記アングル形の補強部材は、半部が上半身側の前記ベッド本体半部のベッド面および幅方向の２つの側面部に重なり、残りの半部が下半身側の前記ベッド本体半部のベッド面および幅方向の２つの側面部に重なり、かつ、密着面に対向して設ける面状ファスナにより連結されてなり、前記受承フレームは、上半身側と下半身側の各前記ベッド本体半部に対応して２つの受承フレーム半体に分割されてなり、各前記受承フレーム半体は、複数の長方形板材のそれぞれに、一方の長辺より直角方向に複数のスリットを所要間隔に有し、平面視において前記長方形板材がベッドの縦方向と横方向にそれぞれ複数配列され、かつ縦方向の長方形板材のスリットと横方向の長方形板材のスリットとが組手構造に嵌合することで格子状に組まれてなる構成である。
【０００９】
本考案の第２の態様に係る段ボール製組み立てベッドは、第１の態様の構成に加え、上半身側と下半身側の各前記ベッド本体半部は、ベッド面部と前記ベッド面部の３つの端縁より延在している縦方向の側面部および２つの横方向の側面部とを有する原材である段ボール成形材よりなり、前記ベッド面部に対し１つの前記縦方向の側面部および２つの前記横方向の側面部をそれぞれ直角に折り下げ、コーナー部の端縁同士を面状ファスナで連結されてなる構成である。
【００１０】
本考案の第３の態様に係る段ボール製組み立てベッドは、第２の態様の構成に加え、前記２つの受承フレーム半体間に、段ボール製の方形板を２つ折りしてなり、２つ折りの稜線部をベッド設置面に当接し反対側の２つの端縁を、かつ前記上半身側のベッド本体半部のベッド面部の下面および前記下半身側のベッド本体半部のベッド面部の下面に当接している補強部材を備える構成である。
【００１１】
本考案の第４の態様に係る段ボール製組み立てベッドは、第１の態様の構成に加え、上半身側と下半身側の各前記ベッド本体半部は、上面部と、前記上面部の一方の対向する２つの端縁より延在している縦方向の２つの側面部および他方の対向する２つの端縁より延在している横方向の２つの側面部とを有する原材である段ボール成形材よりなり、前記ベッド面部に対し２つの前記縦方向の側面部および２つの前記横方向の側面部をそれぞれ直角に折り下げ、コーナー部の端縁同士を面状ファスナで連結されてなる構成である。
【考案の効果】
【００１２】
本考案によれば、分解・再組み立てが容易であり、粘着テープを用いず段ボールの表面紙が剥離しまたは破けていくことがなく、ベッド面の全面に渡り体重を分散して受け止めることができ、一部分における凹みが容易には生じ難い段ボール製組み立てベッドを提供することができる。
【図面の簡単な説明】
【００１３】
【図１】本考案の実施の形態に係る段ボール製組み立てベッドの全体斜視図である。
【図２】図１の段ボール製組み立てベッドの最終組み立て時を示す斜視図である。
【図３】図１の段ボール製組み立てベッドを構成するベッド本体の組み立て完了の１つ前の工程を示す図であって、図２（Ａ）はベッド本体の斜視図、図２（Ｂ）は上半身側のベッド本体半部の斜視図、図２（Ｃ）は下半身側のベッド本体半部の斜視図、図２（Ｄ）は上半身側のベッド本体半部の組み立て前の段ボール成形材の平面図、図２（Ｅ）は下半身側のベッド本体半部の組み立て前の段ボール成形材の平面図を示す。
【図４】図１の段ボール製組み立てベッドに係り、図４（Ａ）は受承フレームの斜視図、図４（Ｂ）はアングル形補強部材の斜視図、図４（Ｃ）はアングル形補強部材の原材の正面図である。
【図５】図１の段ボール製組み立てベッドに係り、図５（Ａ）は受承フレームの斜視図、図５（Ｂ）は受承フレームを構成する原材の配列・組み合わせ状態を示す斜視図である。
【図６】図２とは異なる組み立て方法を示す斜視図である。
【図７】本考案の実施形態２に係る段ボール製組み立てベッドの組み立て完了の１つ前の工程を示す図である。
【図８】図７に示す段ボール製組み立てベッドに係るベッド本体の組み立て工程を示す図である。
【考案を実施するための形態】
【００１４】
以下、本考案に係る段ボール製組み立てベッドに係る実施の形態について図面を参照して説明する。
【００１５】
［実施形態１］
［全体の構成］
図１は段ボール製組み立てベッド１の斜視図である。図２は最終組み立て時を示す斜視図である。段ボール製組み立てベッド１は、上半身側下半身側とに分割された段ボール製のベッド本体半部１１Ａ，１２Ａを突き合わせ、面状ファスナ５２−５５により連結してなるベッド本体１０の下側空間に、段ボール製のアングル形補強部材２１Ａ，２２Ａと、段ボール製の受承フレームとしてベッド本体半部１１Ａ，１２Ａに対応して２つに分割した受承フレーム半体３１Ａ，３２Ａと、二つ折り補強部材４０とを収容してなる。二つ折り補強部材４０は、受承フレーム半体３１Ａ，３２Ａの間に位置しベッド本体半部１１Ａ，１２Ａを突き合わせ位置に対応している。
【００１６】
ベッド本体半部１１Ａは、上面部１１ａの３つの端縁より延在している３つの側面部１１ｂ，１１ｃ，１１ｄ（縦方向の側面部１１ｃおよび２つの横方向の側面部１１ｂ，１１ｄ）によって構成される２つコーナー部について、面状ファスナ５０，５１により連結して３つの側面部が垂直状態を保持する。また、ベッド本体半部１２Ａは、上面部１２ａの３つの端縁より延在している３つの側面部１２ｂ，１２ｃ，１２ｄ（縦方向の側面部１２ｃおよび２つの横方向の側面部１２ｂ，１２ｄ）によって構成される２つコーナー部について、面状ファスナ５０，５１により連結して３つの側面部が垂直状態を保持する。したがって、ベッド本体１０は、上面部１１ａ，１２ａと、四方に折り下がる側面部１１ｂ，１１ｃ，１１ｄ，１２ｂ，１２ｃ，１２ｄを有する。
【００１７】
ベッド本体半部１１Ａ，１２Ａは、外面にアングル形補強部材２１Ａ，２２Ａが重ねられ、複数の面状ファスナ５６および複数の面状ファスナ５７とで係着している。
【００１８】
受承フレーム半体３１Ａ，３２Ａは、組み立てに面状ファスナは不要であり、段ボール製の複数の帯状パネルをスリット利用して井桁状に組付けてなるもので、ベッド本体半部１１Ａ，１２Ａに対応して２組有する。
【００１９】
段ボール材は、例えば、表面と裏面と中芯からなる３層構造で、中芯には波形のボール紙が挟み込まれている。以下、さらに詳細に説明する。
【００２０】
［ベッド本体１０の構成］
図３（Ａ）はベッド本体１０の斜視図、図３（Ｂ）は上半身側のベッド本体半部１１Ａの斜視図、図３（Ｃ）は下半身側のベッド本体半部１２Ａの斜視図、図３（Ｄ）は上半身側のベッド本体半部１１Ａの原材である段ボール成形材１１に面状ファスナ５０，５２，５４，５６が固着された状態を示す平面図、図３（Ｅ）は下半身側のベッド本体半部１２Ａの原材である段ボール成形材１２に面状ファスナ５０，５２，５４，５７が固着された状態を示す平面図である。
【００２１】
上半身側のベッド本体半部１１Ａは、原材である平面展開形状の段ボール成形材１１の上面部（ベッド面半部）１１ａに対し、上面部１１ａの３つの端縁より延在する３つの側面部１１ｂ，１１ｃ，１１ｄを直角に折り下げ、２つのコーナー部に対応する側面部の縦辺部同士を隙間なく突き合わせかつ開かないよう、側面部１１ｂ，１１ｃ，１１ｄに強粘着剤で固着された面状ファスナ５０同士を面状ファスナ５１で連結してなる。
【００２２】
下半身側のベッド本体半部１２Ａは、平面展開形状の段ボール成形材１２の上面部（ベッド面半部）１２ａに対し、上面部１２ａの３つの端縁より延在する３つの側面部１２ｂ，１２ｃ，１２ｄを直角に折り下げ、２つのコーナー部に対応する側面部の縦辺部同士を隙間なく突き合わせかつ開かないよう、側面部１２ｂ，１２ｃ，１２ｄに強粘着剤で固着された面状ファスナ５０同士を面状ファスナ５１で連結してなる。
【００２３】
［アングル形補強部材２１Ａ，２２Ａの構成］
図４（Ａ）はベッド本体１０の外面にアングル形補強部材２１Ａ，２２Ａを重ねた状態を示す斜視図、図４（Ｂ）はアングル形補強部材２１Ａ，２２Ａを示す斜視図、図４（Ｃ）はアングル形補強部材２１Ａ，２２Ａの原材である段ボール成形材２１，２２を示す正面図である。
【００２４】
アングル形補強部材２１Ａ，２２Ａは、原材である一対の平面展開形状の段ボール成形材２１，２２よりなる。段ボール成形材２１は、上面部２１ａと側面部２１ｂとを有し、段ボール成形材２２は、上面部２２ａと側面部２２ｂとを有する。段ボール成形材２１，２２には下面（ベッド本体半部１１Ａ，１２Ａとの重ね合わせ面）に強粘着剤で固着された複数の面状ファスナ５６および複数の面状ファスナ５７が固着されている。段ボール成形材２１，２２に固着されている面状ファスナ５６，５７は、ベッド本体半部１１Ａ，１２Ａに固着されている面状ファスナ５６，５７と対応している。
【００２５】
図４（Ａ）に示すように、ベッド本体半部１１Ａ，１２Ａは、互いの突き合わせ部の外面にアングル形補強部材２１Ａ，２２Ａが重ねられ、ベッド本体半部１１Ａの外面に強粘着剤で固着された複数の面状ファスナ５６および複数の面状ファスナ５７と、アングル形補強部材２１Ａ，２２Ａの内面に強粘着剤で固着された複数の面状ファスナ５６および複数の面状ファスナ５７とがそれぞれ対応して係着していることにより十分な連結強度を担保されているとともにベッド中央部を補強されている。
【００２６】
［受承フレーム半体３１Ａ，３２Ａの構成］
図５（Ａ）は受承フレーム半体３１Ａ，３２Ａの斜視図、図５（Ｂ）は受承フレーム半体３１Ａ，３２Ａを構成する原材の配列・組み合わせ状態を示す斜視図である。
【００２７】
受承フレーム半体３１Ａ，３２Ａは、同一の形態に組み合わせた２組である。受承フレーム半体３１Ａ，３２Ａは、平行に配列する原材である複数の長方形板材３３と、長方形板材３３に対し直交方向に配列する原材である複数の長方形板材３４とを格子状（井桁状）に組み合わせてなる。複数の長方形板材３３のそれぞれに所要間隔に平行に複数のスリット３３ａを有し、複数の長方形板材３４のそれぞれに所要間隔に平行に複数のスリット３４ａを有する。スリット３３ａとスリット３４ａとが互いに嵌め合わせることにより、複数の長方形板材３３と複数の長方形板材３４とを格子状（井桁状）に組み合わせてなる。
【００２８】
受承フレーム半体３１Ａ，３２Ａは、ベッド本体１０の下側空間に収容されベッド本体半部１１Ａ，１２Ａの上面部（ベッド面部）１１ａ，１２ａに密着してこれら上面部を下支えする。図４では、受承フレーム半体３１Ａ，３２Ａは、５枚の長方形板材３３と５枚の長方形板材３４を用いて格子状に組み合わせてなるが、ベッドの大きさに合わせて枚数を多くすることができる。
【００２９】
［二つ折り補強部材４０の構成］
図２に示すように、二つ折り補強部材４０は、原材である段ボール製の方形板を２つ折りしてなり、受承フレーム半体３１Ａ，３２Ａの間に位置し、２つ折りの稜線部（稜線部）をベッド設置面（床面）に当接し、反対側の２つの端縁を、かつ上半身側のベッド本体半部１１Ａ，１２Ａの上面部（ベッド面部）１１ａ，１２ａの下面に当接し上面部１１ａ，１２ａを下支えしている。
【００３０】
［他の組み立て方法］
図６は、図２とは異なる組み立て方法を示す斜視図である。２つの受承フレーム半体３１Ａ，３２Ａの間に二つ折り補強部材４０を配置し、２つの受承フレーム半体３１Ａ，３２Ａの両側にベッド本体半部１１Ａ，１２Ａを配置し、ベッド本体半部１１Ａ，１２Ａを２つの受承フレーム半体３１Ａ，３２Ａと二つ折り補強部材４０に被せるように突き合わせ、次いで、アングル形補強部材２１Ａ，２２Ａを被せ、面状ファスナ５６同士，５７同士を連結する。
【００３１】
［実施形態１の効果］
本実施形態の段ボール製組み立てベッドによれば、以下の効果を有する。
（１）ベッド本体１０については、３つの側面部を折り下げコーナー部の端縁同士を面状ファスナ５０，５１を用いて組み立てたベッド本体半部１１Ａ，１２Ａを突き合わせ、面状ファスナ５２−５５を用いて連結することで組み立てることができ、また受承フレーム半体３１Ａ，３２Ａについては、上側配置の一方向に平行に並べる複数の長方形板材３３と、下側配置の他方向に平行に並べる複数の長方形板材３４とを、各長方形板材に設けたスリット３３ａ，３４ａ同士を嵌合しつつ縦方向と横方向に升目状に配列するだけで組み立てることができる。そして、ベッド本体１０を受承フレーム半体３１Ａ，３２Ａに被せて、さらにアングル形補強部材２１Ａ，２２Ａを重ねるだけで面状ファスナ５６，５７で連結して組み立てが完了するので、分解・再組み立てが容易である。また、段ボール製組み立てベッドを他の部屋に移動するには、最小構成部材に分解せず、上半身側と下半身側のベッド本体半部１１Ａ，１２Ａの２つに分解し、２つの組立体である受承フレーム半体３１Ａ，３２Ａについては分解せず、これらは、部屋の出入口を通せる大きさであるので、他の部屋への移動・再組み立てが可能である。
（２）上半身側のベッド本体半部１１Ａと下半身側のベッド本体半部１２Ａとの分解は両者を連結している面状ファスナ５３，５５を解離すればよい。また、引っ越し等の場合には面状ファスナ５０，５１を解離すればベッド本体半部１１Ａ，１２Ａを平面状の原材の形状とすることができ、強粘着剤で固着された面状ファスナを剥がす必要がないので、連結・解離が何度でも行うことができ、粘着テープを用いず面状ファスナを用いるので段ボールの表面紙が剥離しまたは破けていくことがない。
（３）ベッド面の全面に渡り受承フレーム半体３１Ａ，３２Ａで受承されるから、ベッド面にかかる体重を分散して受け止めることができ、また一部分における凹みが容易には生じ難い。
（４）ベッド本体１０とアングル形補強部材２１Ａ，２２Ａと受承フレーム半体３１Ａ，３２Ａと二つ折り補強部材４０は、いずれも段ボールを複数枚の重ね合わせて厚肉にすることで強度を生じさせる構造とする必要性がないので、材料が少なくて済みコスト高とならない。
（５）ベッド本体１０は、四方の側面部１１ｂ，１１ｃ，１１ｄ，１２ｂ，１２ｃ，１２ｄが設置面に当接するから、ベッドの下側空間に進入する隙間がなく埃やゴミの侵入が少なく、埃やゴミの侵入があっても受承フレーム半体３１Ａ，３２Ａによりベッドの下側空間の外周部に留まり、またベッドの下側空間にペットが侵入することがない。
【００３２】
［実施形態２］
［全体の構成］
図７および図８は、本考案の実施形態２に係る段ボール製組み立てベッドを示す図である。図８（Ａ）に示すように、段ボール製組み立てベッド１Ｂは、ベッド本体１０Ｂがベッド本体半部１１Ｂとベッド本体半部１２Ｂとを突き合わせ、面状ファスナ５２−５５で連結してなり、ベッド本体１０Ｂをアングル形補強部材２１Ａ，２２Ａに被せてなる。この段ボール製組み立てベッド１Ｂは、実施形態１の二つ折り補強部材４０が不要である。
【００３３】
［ベッド本体１０Ｂの構成］
ベッド本体半部１１Ｂは、上面部（ベッド面部）１１ａと、上面部１１ａの四方に延在していて直角に折り下がる４つの側面部１１ｂ，１１ｃ，１１ｄ（上面部１１ａの一方の対向する２つの端縁より延在している縦方向の２つの側面部１１ｃ，１１ｅおよび他方の対向する２つの端縁より延在している横方向の２つの側面部１１ｂ，１１ｄ）を有し、４つのコーナー部を面状ファスナ５０，５１で連結してなる。また、ベッド本体半部１２Ｂは、上面部（ベッド面部）１２ａと、上面部１２ａの四方に延在していて直角に折り下がる４つの側面部１２ｂ，１２ｃ，１２ｄ（上面部１２ａの一方の対向する２つの端縁より延在している縦方向の２つの側面部１２ｃ，１２ｅおよび他方の対向する２つの端縁より延在している横方向の２つの側面部１２ｂ，１２ｄ）を有し、４つのコーナー部を面状ファスナ５０，５１で連結してなる。
【００３４】
［実施形態２の実施形態１に対する構成上の相違］
上半身側と下半身側の各ベッド本体半部１１Ｂ，１２Ｂが上面部（ベッド面部）１１ａ，１２ａの縦方向の２つの側面部１１ｅ，１２ｅを有することで、実施形態１で備えている二つ折り補強部材４０に同等に対応している。
【００３５】
［実施形態２の効果］
実施形態２は、実施形態１に対じ上述した構成上の相違があるが、効果は、実施形態１の効果と同一である。
【００３６】
本考案に係る段ボール製組み立てベッドによれば、材料が少なくコスト高とならず、受承フレーム半体を組み立てる場合のスリット同士の組手嵌合以外には嵌合部がなく、粘着テープを用いず分解・再組み立てが容易であり、最小構成部材に分解せず複数の部分組み立ての状態に分解して他の部屋への移動・再組み立てが可能であり、ベッド面の全面に渡り体重を分散して受け止めることができ、一部分における凹みが容易には生じ難く、段ボールの表面紙が剥離しまたは破けていくことがなく、ベッドの下側に進入する隙間がない段ボール製組み立てベッドを提供することができるという効果を奏するものであり、優れた段ボール製組み立てベッドに提供できる。
【符号の説明】
【００３７】
１…段ボール製組み立てベッド、
１Ｂ…段ボール製組み立てベッド、
１０…ベッド本体、
１０Ｂ…ベッド本体、
１１Ａ…ベッド本体半部、
１１Ｂ…ベッド本体半体、
１１…段ボール成形材、
１１ａ…上面部、
１１ｂ，１１ｃ，１１ｄ，１１ｅ…側面部、
１１Ａ…ベッド本体半部、
１２Ｂ…ベッド本体半体、
１２…段ボール成形材、
１２ａ…上面部、
１２ｂ，１２ｃ，１２ｄ，１２ｅ…側面部、
２１Ａ…アングル形補強部材、
２１…段ボール成形材、
２１ａ…上面部、
２１ｂ…側面部、
２２Ａ…アングル形補強部材、
２２…段ボール成形材、
２２ａ…上面部、
２２ｂ…側面部、
３１Ａ，３２Ａ…受承フレーム半体、
３３…長方形板材、
３３ａ…スリット、
３４…長方形板材、
３４ａ…スリット、
４０…補強部材、
５０−５７…面状ファスナ。
【図１】
0003228797.tif 000003
【図２】
0003228797.tif 000004
【図３】
0003228797.tif 000005
【図４】
0003228797.tif 000006
【図５】
0003228797.tif 000007
【図６】
0003228797.tif 000008
【図７】
0003228797.tif 000009
【図８】
0003228797.tif 000010